(57)【要約】  【課題】  カートリッジに入れられたディスクをベアディスクとして使用する場合、ベアディスクとして用いられることを想定したコーディング技術が用いられていない場合があり、ディスクの記録再生の信頼性が劣化する場合がある。そのため記録再生装置では、コーティングに応じて適切な処理を行う必要がある。  【解決手段】    カートリッジから少なくとも一度記録媒体を取り出せる状態になったことを示す取り出し情報を、記録媒体の所定の位置に記録するようにした。また、情報記録部を保護するためにコーティングがなされた記録媒体において、コーティングの強度を示す情報を記録媒体の所定の位置に記録するようにした。  【選択図】  図１
2005100508.tif 000002
【特許請求の範囲】
【請求項１】
カートリッジに保護された記録型の記録媒体において、
該カートリッジから少なくとも一度取り出されたことを示す取り出し情報に基づいて、該取り出し情報に対応した情報を記録媒体の所定の位置に記録することを特徴とする記録媒体。
【請求項２】
記録媒体を取り出すための開口部を持つカートリッジに保護された記録型の記録媒体において、
該カートリッジから少なくとも一度記録媒体を取り出せる状態になったことを示す取り出し情報に基づいて、該取り出し情報に対応した情報を記録媒体の所定の位置に記録することを特徴とする記録媒体。
【請求項３】
請求項１または２に記載の記録媒体おいて、前記取り出し情報に対応した情報は、記録するデータごとに付加され記録媒体に記録されることを特徴とする記録再生システム。
【請求項４】
情報が記録された記録媒体において、
該記録媒体を保護するためのコーディングの有無を示す情報を所定の位置に記録されたことを特徴とする記録媒体。
【請求項５】
情報記録部を保護するためにコーティングがなされた記録媒体において、
該コーティングの強度を示す情報を記録媒体の所定の位置に記録することを特徴とする記録媒体。
【請求項６】
記録媒体に対して記録再生を行う記録再生装置おいて、
該記録媒体にカートリッジが付いていない場合には、該記録媒体のコーティングに関する情報により、記録再生の制御を行うことを特徴とする記録再生装置。
【請求項７】
請求項６において、前記記録再生装置は、前記記録媒体のコーティングに関する情報はカートリッジが付いていない状態で記録可能な性能を持つことを示す情報であれば記録を許可し、カートリッジが付いていない状態で再生可能な性能を持つことを示す情報であれば再生を許可することを特徴とする記録再生システム。
【請求項８】
請求項７において、前記記録再生装置は、前記記録媒体への記録を許可または再生許可に関する情報を表示することを特徴とする記録再生システム。
【請求項９】
記録媒体に対して記録再生を行う記録再生装置おいて、
該記録媒体にカートリッジが付いていることを検出するカートリッジ検出手段と、カートリッジから少なくとも一度記録媒体が取り出されたことを示す情報を検出する取り出し情報検出手段を備え、
該記録媒体にカートリッジが付いていない場合には、取り出し情報検出を行い、取り出し情報が記録されていない場合には、記録媒体の所定の位置に取り出し情報を記録することを特徴とする記録再生装置。
【発明の詳細な説明】
【技術分野】
【０００１】
光ディスクや磁気テープを利用したデータ、音声、映像配信を実現する上で好適な記録再生システムを提供することにある。
【背景技術】
【０００２】
ＤＶＤ（Digital  Versatile  Disc）の普及により光ディスクは、映像・音声を記録するためのAV用途と、PC（Personal  Computer）のデータを記録するためのPC用途で用いられるようになった。また、光ディスクの種類としては、ROMと言われる予めデータが記録された再生専用のものや、RAM（Random  Access  Memory）やRW(Re-writable)と呼ばれる書換え可能なもの、WO（Write  Once）と呼ばれる一度だけ記録可能なものなどがあり、用途によって使い分けられている。
【０００３】
これらの光ディスクでは、PC用途ではデータの保存用であるため、非常に高い信頼性が要求される。また、AV用途でも、貴重な映像の記録や再生のために、高い信頼性が要求される。
【０００４】
このような高信頼性の要求を受けて、光ディスクではディスクに対してカートリッジと言われる保護ケースを用いることがある。カートリッジは、ディスクに装着したまま、記録再生機器に挿入され、記録再生が可能なように開口部を持つような構造になっている。この開口部は記録再生機器から取り出されると、閉じるような
仕組みになっており、その状態では、ディスクにキズや埃、指紋がつきにくいようになっている。
【０００５】
また、最近では、カートリッジを用いない状態（ベアディスクと呼ばれる）でも、キズや指紋がつきにくい、または付いても拭き取ることが可能なように、光ディスクの信号面を保護するコーティング技術が開発され、用いられるようになってきている。
【０００６】
【特許文献１】特開平５−２４２６２６号公報（図１）
【発明の開示】
【発明が解決しようとする課題】
【０００７】
このように光ディスクでは、カートリッジに入れられたタイプとベアディスクで用いられるタイプのディスクが存在している。記録再生機器では、カートリッジに対応したもの、ベアディスクのみに対応したもの、両方とも対応しているものなど、様々である。ベアディスクにのみ対応した記録再生装置に挿入できるように、先に示した例では、カートリッジからディスクが取り出せるような構成がかんがえられている。例えば、DVD-RAM  type1では、カートリッジからディスクが取り出せるような構造になっており、カートリッジ自体に、少なくとも一度ディスクを取り出したかどうかを判別するためのセンサーホールを備えている。
【０００８】
しかしながら、カートリッジに入れられたディスクをベアディスクとして使用する場合、ベアディスクとして用いられることを想定したコーディング技術が用いられていない場合があり、信頼性が劣化する場合がある。
記録型の光ディスクでは、次に記録する領域に対して、予め試し書きを行うなどして記録可能な状態かどうかを確かめることもできるが、追記型の光ディスクの場合には、一度書き込んだ領域は上書きできないため、そのような確認を行うことができない。
【０００９】
本発明はこのような課題を鑑みてなされたものであり、カートリッジ入りのディスクをベアディスクとして用い、高信頼性を保ちながら記録再生可能な光ディスク及び記録再生装置を実現するものである。
【課題を解決するための手段】
【００１０】
そのため本発明は、記録媒体を取り出すための開口部を持つカートリッジに保護された記録型の記録媒体において、カートリッジから少なくとも一度記録媒体を取り出せる状態になったことを示す取り出し情報を、記録媒体の所定の位置に記録するようにしたものである。また、情報記録部を保護するためにコーティングがなされた記録媒体において、コーティングの強度を示す情報を記録媒体の所定の位置に記録するようにした。
【００１１】
記録再生装置においては、カートリッジからはずされた記録媒体に対する記録再生で、上記コーティングに関する情報に基づいて記録再生の制御を行うようにした。さらに、記録媒体に対して記録再生を行う記録再生装置おいて、記録媒体にカートリッジが付いていることを検出するカートリッジ検出手段と、カートリッジから少なくとも一度記録媒体が取り出されたことを示す情報を検出する取り出し情報検出手段を備え、記録媒体にカートリッジが付いていない場合には、取り出し情報検出を行い、取り出し情報が記録されていない場合には、記録媒体の所定の位置に取り出し情報を記録するようにした。
【発明の効果】
【００１２】
本発明によれば、カートリッジ付きのディスクからディスクが取り出された場合に、製造時からベアディスクであるものと区別することが可能であり、その識別用の情報をディスク上に記録することで、記録または再生処理を適切に行うことが可能となる。また、ディスクの施されたコーティングの強度を示す情報をディスク上に記録することにより、そのディスクがベアの時にでもコーディングの強度に合わせた適切な処理、例えば記録は制限して再生のみを行うなどの制御を行うことができる。
【発明を実施するための最良の形態】
【００１３】
本発明の第１の実施例について図を用いて説明する。
【００１４】
図２は、カートリッジ付きのディスクをカートリッジに入れたまま、本発明の１実施形態に係る記録再生装置に挿入した場合を示した図である。１１はカートリッジ付きディスクであり、これは開閉して中のディスクが取り出せる構造となっている。カートリッジには、センサーホール１２がついている。これはカートリッジを開閉するか、ディスクを取り外すなどした場合に、例えば固定したピンが折れるなどすることにより、ホールに孔が開くなどの状態の変化で、ディスクが一度は取り出された状態になったことをしめすものである。１５は記録再生装置を示し、これはカートリッジ付きディスクにもベアディスクにも対応しているものである。１６はカートリッジ付きディスクか、ベアディスクかを判別するカートリッジセンサーである。１７は、センサーホール１２を検出するためのホールセンサーである。図２の状態では、カートリッジに入れられたままで記録再生を行うため、ディスクにキズや埃、指紋がつきにくく、信頼性の高い状態で記録再生が行われる。
【００１５】
図１は、カートリッジ付きのディスクをカートリッジから取り出してベアディスクとして、本発明の１実施形態に係る記録再生装置に挿入した場合を示した図である。記録再生装置１５は、カートリッジセンサー１６により挿入されたディスクがベアディスクであることを判別する。ここでベアディスク挿入されるディスクは、大きく2種類が考えられる。一つは最初からベアディスクとして製造され、信頼性を確保するためにコーディング技術を施したディスクと、もう一つは、カートリッジ付きディスクとして製造されたコーディング無しのディスクである。コーディング技術を施したベアディスクの場合には、通常の記録再生を行っても問題はないが、コーディング無しのディスクの場合には、キズや埃、指紋がついている場合があるため、それらを想定した処理を行うようにする。例えば、記録性能が確保できないとして、再生のみに動作を制限し、その旨を記録再生装置の表示部に表示して、ユーザに判るようにする。また、その時の再生処理においては、通常の再生よりも誤り訂正能力を高くしたり、回転速度を下げて転送レートを遅くして再生するなど、信頼性を上げた再生処理を行うようにする。
【００１６】
コーディング技術を施したディスクかどうかを判別するには、ディスクの構造や管理情報と一緒にディスク上に記載しておくことで、ベアディスクの状態でも判別が可能となる。詳細は後ほど述べる。さらに、カートリッジ付きディスクからカートリッジをはずしてベアディスクとして記憶再生装置に挿入された場合に、ディスク上にその旨を示すフラグを付加するようにする。このような判別フラグを持つことで、カートリッジ付きディスクのカートリッジをはずしてベアディスクとして使用する場合に、記録再生機器で適切な処理を行えるようにすることが可能となる。
【００１７】
また、ディスクが始めて挿入された時に、ディスク特有のディスク番号などを用いて、ディスク番号とカートリッジの有無を記録再生装置内のメモリに蓄えておき、次にそのディスクが挿入された時にディスク番号によって同じディスクであることを知り、カートリッジ付きからカートリッジ無しの状態に変わっていれば、カートリッジをはずしたものと判別できるので、カートリッジセンサー１６は、不要となる。
図３は、本発明であるカートリッジ付きのディスクをカートリッジから取り出して、再度カートリッジに戻したのち、カートリッジ付きディスクとして記録再生装置に挿入した場合を示したものである。カートリッジを開閉するか、ディスクを取り外すなどした場合に、センサーホール１２に孔が開き、ディスクが一度は取り出された状態になったことをしめしている。これを記録再生装置１５に挿入すると、ホールセンサー１７により、上記のような状態になったカートリッジ付きディスクであることを判別できる。ここでも図１に示した例と同様にコーディング技術を施したディスクと、コーディング無しのディスクが挿入される場合が考えられる。コーディングナ市の場合には、キズや埃、指紋がついている場合があるため、記録再生装置１５でそれに応じた処理を行うようにする。また、センサーホール１２の状態が変わったことをディスクに記録することにより、そのディスクがカートリッジから一度はずされたことを判別できるようになるし、その後に図１に示した例のようにベアディスクとして用いた場合でも、ディスク製造時にはカートリッジ付きディスクとして製造されたもの、即ちコーディングの有無を知ることができる。
【００１８】
ここで、コーティングの種類について述べる。コーティングは、その特性によりいくつかの段階に分けられるが、記録再生装置からの信頼性と言う意味では、キズはつきにくいが指紋は付いてしまうような再生性能に耐えるコーティングと、キズも指紋もつきにくく、表面を拭いても後が残り難いような記録性能に耐えるコーティングに分けられる。これをコーティングの強度とも言う。図１、３に示した例では、再生性能に耐えるコーティングを施したディスクの場合、カートリッジをはずした場合や一度カートリッジからディスクを取り出したことが判別された場合に、記録再生装置ではそのディスクに対してそれ以降の記録を認めず、再生のみを行うように処理することとする。記録性能に耐えるコーティングを施したディスクの場合、カートリッジをはずした場合や一度カートリッジからディスクを取り出したことが判別された場合でも、記録再生装置はそのディスクに対して通常の記録再生を行うようにする。よって、このようなコーティング技術を用いている場合には、予めディスク上に記録性能に耐えるコーティングが施されているかどうかを示すフラグを付加しておくことによって、そのディスクがベアディスクで用いられても、適切な記録処理を行うことができる。
【００１９】
次に、上記に示したフラグの例を記録する場所についてＤＶＤ−ＲＡＭフォーマットを用いて説明する。
【００２０】
図４は、Lead-inエリアのデータの構成を示したものである。図中のコントロールデータ領域にはディスクの構造や制御情報に関するデータが記録されている。この領域の空きエリアに先に示したようなハードコートに関する情報を記録することで、適切な処理を行うことができる。ＤＶＤ−ＲＷでは、コントロールデータの情報がディスクの溝のウォブルに記録されており、同様に記録することが可能である。ＤＶＤ−ＲＡＭのコントロールデータエリアは、予めディスクに記録されているembossedデータとして書かれており、ウォブルもディスクの形状としてディスク作製時に埋め込まれる進行であるため、追記することはできない。また、ＤＶＤ−ＲＯＭの場合には、予めそのディスクの施されたコーティング情報やカートリッジの有無を記載することができる。
図５は、ＤＶＤ−ＲＡＭのユーザ領域での記録データのブロックフォーマットである。メインデータ2048バイトと、ID及びＲＳＶ等のデータの識別アドレス情報12バイト及び誤り検出符号(EDC：Error Detection Code)の4バイトからなる2064バイトのデータで、172バイト×12行で構成される。EDC算出後、スクランブルデータが“データセクタ”305のメインデータの2048バイトに加えられる。更に、ECCブロックを構成する16の“データセクタ”305にわたりクロスリードソロモン誤り訂正符号がエンコードされる。“記録セクタ”307は、ECCエンコード後のセクタであり、外符号パリティPO及び内符号パリティPIを付加した“データセクタ”305である。POとPIは、16の“データセクタ”305毎に形成されるECCブロック内で生成される。“物理セクタ”308は、“記録セクタ”307の91バイト毎の先頭に同期信号（SYNC符号）を加えて、8/16変換による変調の後のセクタである。
【００２１】
図６は、ID401の構成を示したものであり、セクタ情報(Data Field Information)3バイト及びセクタ番号(Data Field Number)1バイトにより構成される。セクタ情報405は、ディスクにおけるフォーマットタイプ(Sector Format Type)407やトラッキング方法(Tracking Method)408や反射率(Reflectivity)409を示す。更に、データ領域及びリードイン／リードアウト領域を表す領域タイプ(Area Type)411、再生専用データあるいは追記／書き換え用データかを表すデータタイプ(Data Type)412、ディスクの層を表す層番号(Layer Number)413も含まれる。また、セクタ番号406は、データエリアにつけられた通し番号である。このように図５のＲＳＶ403や、図６の呼び領域410に、カートリッジから１度は取り出されたことがあるディスクであることを示すフラグを書き込むことで、それに応じた処理を行うことができる。また、このフラグの有無を記録ブロック単位で調べることで、カートリッジから取り出す前に書かれたデータか、カートリッジから取り出された後に書かれたデータかを判別することが可能となる。
【００２２】
図７は本発明の記録再生装置の構成の一例を示したものである。本図において、これまでと同様の番号ものは、同じものを示している。７１は光ディスクに対してレーザノ照射を行い記録再生の信号を書き込み／読み出しをおこなうピックアップ、７２は記録再生に応じてデータ処理を行うデータ記録再生処理、７３は記録再生装置のシステム全体を制御するシステム制御回路、７４はデータの入出力、７５はシステムの状態やシステム制御からの指令によりメッセージを表示する表示部である。このようにシステム構成により、図１または図３に示したような、情報の検出及び書き込みが可能となり、それに応じた記録または再生の制御が可能となる。また、その状態を表示することにより、ユーザに対して記録再生装置の制御の状態を知らせることができる。
【００２３】
本実施例では、光ディスク、特にＤＶＤのフォーマットを基に説明したが、このフォーマットに限定されるものではなく、カートリッジやコーティングの技術で記録媒体を保護するシステムに当てはめられる。
【図面の簡単な説明】
【００２４】
【図１】本発明の１実施形態に係る、カートリッジ付きのディスクをカートリッジから取り出してベアディスクとして、記録再生装置に挿入した場合を示した図である。
【図２】カートリッジ付きのディスクをカートリッジに入れたまま、記録再生装置に挿入した場合を示した図である。
【図３】本発明の実施例であるカートリッジ付きのディスクをカートリッジから取り出して、再度カートリッジに戻したのち、カートリッジ付きディスクとして記録再生装置に挿入した場合を示した図である。
【図４】ＤＶＤフォーマットにおけるLead-inエリアのデータの構成を示した図である。
【図５】ＤＶＤ−ＲＡＭのユーザ領域での記録データのブロックフォーマットを示した図である。
【図６】ＤＶＤにおけるID情報の構成を示した図である。
【図７】本発明の記録再生装置の構成の一例を示したである。
【符号の説明】
【００２５】
１１…カートリッジ付きディスク、１２…センサーホール、１３…カートリッジ、１４…ディスク、１５…記録再生装置、１６…カートリッジセンサー、１７…ホールセンサー。
【図１】
2005100508.tif 000003
【図２】
2005100508.tif 000004
【図３】
2005100508.tif 000005
【図４】
2005100508.tif 000006
【図５】
2005100508.tif 000007
【図６】
2005100508.tif 000008
【図７】
2005100508.tif 000009